(57)【要約】      （修正有）【課題】既存の棚板の前縁部に、簡単に取り付けることができ、アイキャッチ性に優れた陳列棚用照明具を提供する。【解決手段】半透明プラスチック板を曲折して構成され、棚板３０の前縁部３１をカバーするカバー部４と棚板上の商品を止めるためのストッパ部５を有し、フロントストッパとして棚板３０の前縁部３１に取り付けられるストッパ兼照明カバー２と、帯板状の薄型ケース内の基板上に実装された複数のＬＥＤを発光させて照明する照明具３と、を備える。ストッパ兼照明カバー２の前面に、カードホルダー部６が設けられ、照明具３はカードホルダー部６に挿入されたカードの背面からバックライト照明を行なう。【選択図】図３
2014171575.tif 000002
【特許請求の範囲】
【請求項１】
商品陳列棚の棚板の前縁部に取り付けられる陳列棚用照明具において、
半透明プラスチック板を曲折して構成され、該棚板の前縁部をカバーするカバー部と棚板上の商品を止めるためのストッパ部を有し、フロントストッパとして該棚板の前縁部に取り付けられるストッパ兼照明カバーと、
帯板状の薄型ケース内の基板上に実装された複数のＬＥＤを発光させて照明する照明具と、
を備え、該照明具の該薄型ケースの背面に磁石が取着され、該照明具は該棚板の前縁部に該磁石を介して吸着して取り付けられ、
該ストッパ兼照明カバーの前面にカードホルダー部が設けられ、
該照明具は該カードホルダー部に挿入されたカードの背面からバックライト照明を行なうことを特徴とする陳列棚用照明具。
【請求項２】
前記ストッパ兼照明カバーには差込部が設けられ、該ストッパ兼照明カバーは該差込部を該棚板の前縁部のスリットに差し込んで取り付けられることを特徴とする請求項１記載の陳列棚用照明具。
【請求項３】
前記ストッパ兼照明カバーは、半透明プラスチック板を側面略Ｃ型に曲折した形状に形成され、該ストッパ兼照明カバーのカードホルダー部には、上側に傾斜して表示カードを差し込むためのカードスリットが設けられたことを特徴とする請求項１記載の陳列棚用照明具。
【請求項４】
前記棚板の前縁部には凹部が形成され、前記照明具は該凹部内に磁石を介して取り付けられることを特徴とする請求項１記載の陳列棚用照明具。
【請求項５】
前記ストッパ兼照明カバーのストッパ部の背面部には、平板部が延設され、該ストッパ兼照明カバーは該平板部を該棚板上に載置して取り付けられることを特徴とする請求項１記載の陳列棚用照明具。
【請求項６】
前記ストッパ兼照明カバーの内側には、磁性金属板が取着され、前記照明具は磁石を介して該磁性金属板に吸着して取り付けられることを特徴とする請求項１記載の陳列棚用照明具。
【請求項７】
前記照明具は、複数のＬＥＤが実装された基板上に抵抗素子などの駆動回路が実装され、該基板には、所定の直流電源を入力するための電源端子が設けられ、該電源端子には、交流を直流に変換するＡＣアダプタが電源コードを介して接続されることを特徴とする請求項１記載の陳列棚用照明具。
【発明の詳細な説明】
【技術分野】
【０００１】
本発明は、商品陳列棚の棚板に取り付けられ、優れたアイキャッチ性を有する陳列棚用照明具に関する。
【背景技術】
【０００２】
スーパーマーケット、ホームセンターなどで使用される商品陳列棚には、多数の棚板が設けられ、各棚板の前部に、棚板に陳列される商品を照明するために、照明器具が取り付けられる場合がある。この種の陳列棚用照明具として、従来、蛍光灯が、通常使用され、棚板の前縁部に蛍光灯を下向きに取り付け、下側の棚板に陳列された商品を、蛍光灯式の照明具により照明するようにしている（例えば下記特許文献１を参照）。
【先行技術文献】
【特許文献】
【０００３】
【特許文献１】特開２００１−２９１８９号公報
【特許文献２】特開２０１０−２１３９２３号公報
【発明の概要】
【発明が解決しようとする課題】
【０００４】
しかし、蛍光灯式の照明具は、規格化されて長さが予め決められた蛍光灯を使用するため、任意の横幅を有する棚板の全体を均一に照明するために、照明具を棚板の前縁部の全横幅にわたるように装着しようとした場合、棚板の横幅に対し照明具の長さが短く或いは長くなり、照明具を使用可能な横幅を有する棚板が制限される問題があった。
【０００５】
また、蛍光灯式の照明具は、大きく重い安定器が必要となるため、棚板の裏側などに安定器用のケースを取り付け、そのケース内に安定器を収納することになる。このため、安定器用のケースやそれを取り付けるためのスペースが必要となり、汎用的な商品陳列棚の棚板に、蛍光灯式の照明具を簡単に取り付けることは難しいという課題があった。また、この種の照明具は、下側の棚板上の商品を照明するものであるため、顧客のアイキャッチ効果はあまり高くない。
【０００６】
そこで、本出願人は、上記特許文献２において、優れたアイキャッチ性を有するとともに商品を照明することができる陳列棚用照明具を提案した。この陳列棚用照明具は、下側の商品をＬＥＤにより照明するとともに、棚板の正面側に色彩光を放射して、優れたアイキャッチ性を発揮するように構成されるものの、照明具の構造が比較的大型で複雑となり、照明具を棚板に取り付ける場合、アーム型取付部材を用いて棚板に取り付ける必要がある。
【０００７】
本発明は、上記の点に鑑みなされたもので、既存の棚板の前縁部に、簡単に取り付けることができ、アイキャッチ性に優れた陳列棚用照明具を提供することを目的とする。
【課題を解決するための手段】
【０００８】
上記目的を達成するために、本発明の陳列棚用照明具は、
商品陳列棚の棚板の前縁部に取り付けられる陳列棚用照明具において、
半透明プラスチック板を曲折して構成され、該棚板の前縁部をカバーするカバー部と棚板上の商品を止めるためのストッパ部を有し、フロントストッパとして該棚板の前縁部に取り付けられるストッパ兼照明カバーと、
帯板状の薄型ケース内の基板上に実装された複数のＬＥＤを発光させて照明する照明具と、
を備え、該照明具の該薄型ケースの背面に磁石が取着され、該照明具は該棚板の前縁部に該磁石を介して吸着して取り付けられ、
該ストッパ兼照明カバーの前面に、カードホルダー部が設けられ、
該照明具は該カードホルダー部に挿入されたカードの背面からバックライト照明を行なうことを特徴とする。
【０００９】
この発明の陳列棚用照明具によれば、照明具が、棚板の前縁部に磁石を介して吸着して取り付けられ、ストッパ兼照明カバーが照明具をカバーして棚板の前縁部に取り付けられるので、既存の棚板の前縁部に、極めて簡単に照明具を取り付けることができる。また、基本的には、陳列棚用照明具が簡単な構造のストッパ兼照明カバーとＬＥＤの照明具とからのみで構成することができるので、部品点数が少なく、非常に簡単な構成によって安価に製造することができる。
【００１０】
また、カードホルダー部にブランドカード（商品のメーカーブランドなどを示すカード）、プライスカードなどを挿入すれば、カードの背面からバックライト照明を照射して、ブランドカードなどをアトラクティブに表示し、顧客のアイキャッチ性を高めることができる。
【００１１】
また、棚板上の商品を止めるためのストッパ部がストッパ兼照明カバーに設けられるので、別部品のフロントストッパを棚板に取り付けなくても、棚板からの商品の落下を防止することができる。
【００１２】
ここで、上記ストッパ兼照明カバーには差込部が設けられ、該ストッパ兼照明カバーは該差込部を該棚板の前縁部のスリットに差し込んで取り付けられる構成とすることができる。これによれば、棚板の前縁部にスリットが設けられる棚板については、ストッパ兼照明カバーの差込部をそのスリットに差し込めば、簡単且つ確実に、ＬＥＤの照明具をカバーする位置に取り付けることができる。
【００１３】
また、ストッパ兼照明カバーは、半透明プラスチック板を側面略Ｃ型に曲折した形状に形成され、その前面のカードホルダー部には、上側に傾斜して表示カードを差し込むためのカードスリットを設けることができる。
【００１４】
さらに、上記棚板の前縁部に凹部が形成される場合、上記照明具は該凹部内に磁石を介して取り付けることができる。
【００１５】
ここで、上記ストッパ兼照明カバーのストッパ部の背面部に平板部を延設し、該平板部を該棚板上に載置して、該ストッパ兼照明カバーを棚板の前縁部に取り付ける構成とすることができる。
【００１６】
さらに、上記ストッパ兼照明カバーの内側には磁性金属板を取着し、上記照明具は磁石を介して該磁性金属板に吸着して取り付ける構成とすることができる。
【００１７】
さらに、上記照明具は、複数のＬＥＤが実装された基板上に抵抗素子などの駆動回路を実装し、基板には、所定の直流電源を入力するための電源端子が設けられ、該電源端子には、交流を直流に変換するＡＣアダプタが電源コードを介して接続される構成とすることができる。
【発明の効果】
【００１８】
本発明の陳列棚用照明具によれば、カードホルダー部に挿入されるブランドカードなどをバックライト照明することができる。また、構造が簡単であり、既存の棚板の前縁部にも、簡単に取り付けることができ、顧客のアイキャッチ効果を向上させることができる。
【図面の簡単な説明】
【００１９】
【図１】本発明の第１実施形態の陳列棚用照明具の正面図である。
【図２】同陳列棚用照明具を斜め上方から見た斜視図である。
【図３】同陳列棚用照明具の拡大右側面図である。
【図４】同陳列棚用照明具の平面図である。
【図５】同陳列棚用照明具の分解斜視図である。
【図６】分解した陳列棚用照明具の拡大右側面図である。
【図７】陳列棚用照明具の部分拡大斜視図である。
【図８】（ａ）は照明具の拡大正面図、（ｂ）は同照明具のＢ−Ｂ拡大断面図である。
【図９】第２実施形態の陳列棚用照明具の正面図である。
【図１０】同陳列棚用照明具の平面図である。
【図１１】同陳列棚用照明具の斜め上方から見た斜視図である。
【図１２】同陳列棚用照明具の拡大右側面図である。
【図１３】同照明具の部分拡大斜視図である。
【図１４】同照明具の分解斜視図である。
【図１５】同照明具の分解右側面図である。
【発明を実施するための形態】
【００２０】
以下、本発明の実施形態を図面に基づいて説明する。図１〜図８は第１実施形態の陳列棚用照明具１を示している。この陳列棚用照明具１は、商品陳列棚の棚板３０の前縁部３１に取り付けられる陳列棚用照明具であり、概略的には、半透明プラスチック板を曲折して形成されたストッパ兼照明カバー２と、複数のＬＥＤ（高輝度白色発光ダイオード）１０を並設し、それらを発光させてバックライト照明を行う照明具３とから構成される。
【００２１】
ストッパ兼照明カバー２は、図６，７に示すように、例えば乳白色の半透明プラスチック板を曲折した形状に形成され、棚板３０の前縁部３１をカバーするカバー部４と棚板３０上の商品を止めるためのストッパ部５とを有して形成される。つまり、ストッパ兼照明カバー２は、図６に示すように、半透明プラスチック板を側面略Ｃ型に曲折した形状に形成され、その前面には、カードホルダー部６が透明板を前面に接着し内部にカードスリット８を設けるように形成される。このカードホルダー部６は、上側に少し傾斜して形成され、プライスカードやブランドカードなどの表示カードをカードスリット８内に差し込み、それを表示できるようになっている。
【００２２】
ストッパ兼照明カバー２の背面側上部には、商品のフロントストッパとして機能するストッパ部５が設けられ、棚板３０上の商品がその前縁部３１から滑り落ちるのを防止する構造である。また、ストッパ部５の下部には、差込部７が下向きに突設され、図６，７のように、ストッパ兼照明カバー２は差込部７を棚板３０の前縁部３１のスリット３１ａに差し込んで取り付けられる。
【００２３】
一方、ストッパ兼照明カバー２の内側には照明具３が配設されるが、この照明具３は棚板３０の前縁部３１の凹部３２内にその背面を吸着させ、ＬＥＤ面を前方に向けて取り付けられる。このために、照明具３の薄型ケース９の背面側には、図８ｂのように、磁石１２が取着され、照明具３は、磁石１２を介して、棚板３０の前縁部３１の凹部３２内に簡単に吸着される構造である。
【００２４】
このように、照明具３は、磁石１２を介して棚板３０の前縁部３１の凹部３２内に簡単に吸着され、その前面を覆うストッパ兼照明カバー２はその下部の差込部７を、棚板３０の前縁部３１のスリット３１ａに差し込んで取り付ける構造となっているため、既存の商品陳列棚に使用される棚板に対し、陳列棚用照明具１を簡単に装着することができる。
【００２５】
ストッパ兼照明カバー２のストッパ部（商品を止める部分）５の前面側には、カバー部４が設けられ、このカバー部４は照明具３の前面をカバーする。すなわち、ストッパ兼照明カバー２は棚板３０の前縁部３１に取り付けられた状態で、図３，７のように、ＬＥＤ１０の照明具３をカバーするカバー部４を有した構造であり、照明具３は棚板３０の前縁部３１の凹部３２内に磁石１２を介して取り付けられ、その正面側をストッパ兼照明カバー２によってカバーされる。
【００２６】
ＬＥＤ１０の照明具３は、図８ｂに示すように、帯板状の薄型ケース９内に、複数のＬＥＤ１０を基板１１上に実装したＬＥＤユニットを収容して形成される。照明具３のＬＥＤユニットの幅と厚さは、幅約１５ｍｍ、厚さ約８ｍｍと非常に小型で薄形に形成されている。基板１１には、ＬＥＤ１０とともにそれを点灯駆動する駆動回路１３が実装され、所定電圧の直流電力を入力するのみで、ＬＥＤ１０を点灯駆動するようになっている。
【００２７】
このために、図８に示す如く、基板１１を覆う薄型ケース９の端部からは、電源コード１５が引き出され、その先端に電源コネクタ１４が接続され、電源コネクタ１４は、図示しないＡＣアダプタに接続される。このＡＣアダプタは、例えば１００Ｖの商用電源を直流２４Ｖに変換して供給する回路を内蔵し、例えば、陳列棚の側部に設けたレールコンセントに接続される。
【００２８】
つまり、照明具３のＬＥＤユニットは、基板１１に正面に高輝度の白色ＬＥＤ１０を所定の間隔をおいて実装し、且つＬＥＤ１０を点灯駆動する駆動回路１３を実装した構造であり、駆動回路１３には、外部の直流電源から電源コネクタ１４、電源コード１５を通して直流電流が供給される。ＬＥＤ１０の前面は薄型ケース９の前面の透明板で覆われ、ＬＥＤ１０の照明光は前面のカードホルダー部６に向けて照射される。
【００２９】
このように、乳白色の半透明プラスチック板からなるストッパ兼照明カバー２のカバー部４がＬＥＤ１０の照明具３を前面から覆う構造であり、その前面のカードホルダー部６に、表示カードを挿入して使用した場合、照明具３はカードホルダー部６内の表示カードを背面からバックライト照明することとなる。このとき、ＬＥＤ１０の照明具３は、複数のＬＥＤ１０を基板上に間隔をおいて配置する構造であるので、点光源に近いＬＥＤ１０の光にはバックライト照明に斑を生じやすいが、照明具３とカードホルダー部６との間に、所定以上の間隔が設けられ、カードホルダー部６内の表示カードに対し、斑のない均一なバックライト照明を照射することができるようになっている。
【００３０】
上記構成の陳列棚用照明具１は、図示しない商品陳列棚の棚板３０の前縁部３１に、図２，３，６に示すように、取り付けられる。
【００３１】
先ず、照明具３が、棚板３０の前縁部３１の凹部３２内に、挿入して取り付けられる。照明具３は薄型ケース９に収納され、その背面には、磁石１２が取着されているので、照明具３は、磁石１２を介して凹部３２内に簡単に取り付けることができる。棚板３０の前縁部３１には、通常、プライスカードなどを挿入するための凹部が図６のように設けられており、その部分は磁性金属板（鋼板）製であることから、照明具３は磁石１２を介して簡単に吸着させることができる。照明具３の電源コネクタ１４は、図示しないＡＣアダプタを介して、例えば、商品陳列棚の支柱側部に設けられるレールコンセントに接続される。
【００３２】
次に、図６のように、棚板３０の前縁部３１の上方から、ストッパ兼照明カバー２を、その下部の差込部７をスリット３１ａに差し込み、カバー部４により照明具３を覆うように装着する。商品陳列棚の棚板３０の前縁部３１には、フロントストッパ用のスリット３１ａが設けられているので、それを利用して差込部７を差し込むことにより、既存の棚板３０に対し、ストッパ兼照明カバー２を簡単に取り付けることができる。
【００３３】
この状態で、図３に示すように、ストッパ兼照明カバー２は棚板３０の前縁部３１の照明具３の前面を覆う状態となり、ストッパ兼照明カバー２のカバー部４は、適正な間隔をおいて照明具３の前面を覆い、照明具３は適正な間隔をあけてカードホルダー部６を背面から照射可能な状態となる。
【００３４】
商品のプライスカードやブランドカード（商品やメーカーのブランド名を透明表示板に印刷したもの）は、前面のカードホルダー部６のカードスリット８に、上からを差し込まれる。
【００３５】
この状態で、照明具３の電源をオンすると、ＬＥＤ１０が点灯し、その照射光が、前面のカードホルダー部６のバックライト照明を行い、乳白色半透明プラスチック板のカバー部４全体が白色に光り、カードホルダー部６に差し込まれたプライスカードやブランドカードの文字や図柄が、バックライト中に浮かび上がるように、良好な装飾性をもって点灯表示される。このため、商品陳列棚の棚板近傍の装飾性を高め、近くを通る顧客の注意を集めることができ、優れたアイキャッチ効果を発揮することができる。
【００３６】
このように、上記陳列棚用照明具１は、既存の商品陳列棚の棚板であっても、非常に簡単に装着することができ、カードホルダー部６に差し込まれた商品のプライスカードやブランドカードを、バックライト照明して、商品陳列棚の装飾性を向上させることができる。
【００３７】
図９〜図１５は第２実施形態の陳列棚用照明具２１を示している。この実施形態の陳列棚用照明具２１は、棚板の前縁部に凹部やスリットがない場合でも、容易に取り付けることができる構造となっている。
【００３８】
図１４に示すように、この陳列棚用照明具２１は、半透明プラスチック板を曲折して形成されたストッパ兼照明カバー２２と、複数のＬＥＤ（高輝度白色発光ダイオード）１０を並設し、それらを発光させてバックライト照明を行う照明具３とから構成される。照明具３は上記と同様の構成である。
【００３９】
ストッパ兼照明カバー２２は、図１２，１３に示すように、乳白色の半透明プラスチック板を曲折した形状に形成され、棚板４０の前縁部４１をカバーするカバー部２４と、棚板４０上の商品を止めるためのストッパ部２５とを有して形成される。棚板４０は、図１５に示すように、その前縁部４１が単純に方形の直方体形状となっており、上記のような凹部やスリットがない構造である。
【００４０】
ストッパ兼照明カバー２２は、図１２、１５に示すように、半透明プラスチック板を側面略Ｃ型に曲折した形状に形成され、その前面には、カードホルダー部２６が透明板を前面に接着し内部にカードスリット２８を設けるように形成される。このカードホルダー部２６は、上側に少し傾斜して形成され、プライスカードやブランドカードなどの表示カードをカードスリット２８内に差し込み、それを表示できるようになっている。
【００４１】
ストッパ兼照明カバー２２の背面側上部には、商品のフロントストッパとして機能するストッパ部２５が設けられ、棚板４０上の商品がその前縁部４１から滑り落ちるのを防止する構造である。また、ストッパ部２５の下部から背面側にかけて、平板部２７が突設される。図１２に示すように、平板部２７は内側の当て部２２ａから背面側に水平に延設され、図１１のように、ストッパ兼照明カバー２２の内角部の当て部２２ａを、棚板４０の前縁部４１の角部に当てたとき、平板部２７が棚板４０上に安定して載置される構造となっている。
【００４２】
つまり、平板部２７は、棚板４０の略半分を占めるような大形形状に形成され、棚板４０上に平板部２７を当接して棚板４０上に載置したとき、平板部２７の自重で或いはその上に載置される商品の自重により安定して載置可能な構造である。ストッパ兼照明カバー２２の背面部２３は、当て部２２ａから前方に少し傾斜して下方に延設され、カバー部２４と対向する位置に間隔をあけて形成される。一方、ストッパ兼照明カバー２２の内側には照明具３が図１１，１２のように配設されるが、この照明具３を取り付けるために、背面部２３の内側に磁性金属板２９が取着される。照明具３の背面には上記の如く、薄板状の磁石１２が取着され、照明具３は、磁石１２を介して、磁性金属板２９に吸着され、ＬＥＤ面を前方に向けて取り付けられる。
【００４３】
このように、ストッパ兼照明カバー２２は、その平板部２７を棚板４０上に載置し、内角部の当て部２２ａを、棚板４０の前縁部４１に当接させれば、棚板４０上に安定して載置することができる。また、照明具３は、磁石１２を介してストッパ兼照明カバー２２の背面部２３の磁性金属板２９に簡単に吸着され、その前面を覆うストッパ兼照明カバー２２のカバー部２４の内側に取り付ける構造となっているため、既存の商品陳列棚に使用される棚板に対し、陳列棚用照明具２１を簡単に装着することができる。
【００４４】
照明具３は、上記実施形態のものと同様であるため、図面に上記と同様の符号を付して、詳細な説明は省略するが、照明具３のＬＥＤユニットは、図１５に示す如く、基板１１に正面に高輝度の白色ＬＥＤ１０を所定の間隔をおいて実装し、且つＬＥＤ１０を点灯駆動する駆動回路１３を実装した構造である。駆動回路１３には、外部の直流電源から電源コネクタ、電源コードを通して直流電流が供給される。ＬＥＤ１０の前面は薄型ケース９の前面の透明板で覆われ、ＬＥＤ１０の照明光は前面のカードホルダー部２６に向けて照射される。
【００４５】
したがって、上記と同様に、陳列棚用照明具２１は、乳白色の半透明プラスチック板からなるストッパ兼照明カバー２２のカバー部２４がＬＥＤ１０の照明具３を前面から覆う構造であり、その前面のカードホルダー部２６に、表示カードを挿入して使用した場合、照明具３はカードホルダー部２６内の表示カードを背面からバックライト照明する。このとき、ＬＥＤ１０の照明具３は、複数のＬＥＤ１０を基板上に間隔をおいて配置する構造であるので、点光源に近いＬＥＤ１０の光にはバックライト照明に斑を生じやすいが、照明具３とカードホルダー部２６との間に、所定以上の間隔が設けられ、カードホルダー部２６内の表示カードに対し、斑のない均一なバックライト照明を照射することができるようになっている。
【００４６】
上記構成の陳列棚用照明具２１は、図示しない商品陳列棚の棚板４０の前縁部４１に、図１２に示すように、取り付けられる。
【００４７】
先ず、図１５のように、棚板４０の前縁部４１の上方から、ストッパ兼照明カバー２２を、その平板部２７を棚板４０の上に載置し、その当て部２２ａを前縁部４１の角部に当接させる。これにより、商品陳列棚の棚板４０の前縁部４１には、上記のようなフロントストッパ用のスリットがない棚板であっても、ストッパ兼照明カバー２２を簡単に取り付けることができる。また、図１２のように、棚板４０上には商品が載置されるので、商品が平板部２７上に載置されることとなり、その自重で押し付けられた平板部２７は、つまりストッパ兼照明カバー２２が容易に動くことはない。もし必要であれば、両面粘着材などを使用して、平板部２７の裏面を棚板４０上に貼着することもできる。
【００４８】
次に、ストッパ兼照明カバー２２内の背面部２３の内側面に、図１４に示す如く、照明具３を挿入して取り付ける。背面部２３の内側面には磁性金属板２９が取着されているので、薄型ケース９に収納され背面に磁石１２が取着された照明具３は、磁石１２を介してストッパ兼照明カバー２２内の背面部２３に簡単に取り付けることができる。照明具３の電源コネクタ１４は、図示しないＡＣアダプタを介して、例えば、商品陳列棚の支柱側部に設けられるレールコンセントに接続される。
【００４９】
この状態で、図１２に示すように、ストッパ兼照明カバー２２は棚板４０の前縁部４１の前面を覆い、ストッパ兼照明カバー２２のカバー部２４は、適正な間隔をおいて照明具３の前面を覆い、照明具３は適正な間隔をあけてカードホルダー部６を背面から照射可能な状態となる。商品のプライスカードやブランドカード（商品やメーカーのブランド名を透明表示板に印刷したもの）は、カードホルダー部２６のカードスリット２８に、上からを差し込まれる。
【００５０】
この状態で、照明具３の電源をオンすると、ＬＥＤ１０が点灯し、その照射光が、前面のカードホルダー部２６のバックライト照明を行い、乳白色半透明プラスチック板のカバー部２４全体が白色に光り、カードホルダー部２６に差し込まれたプライスカードやブランドカードの文字や図柄が、バックライト中に浮かび上がるように照明され、良好な装飾性をもって点灯表示される。このため、商品陳列棚の棚板近傍の装飾性を高め、近くを通る顧客の注意を集めることができ、優れたアイキャッチ効果を発揮することができる。
【００５１】
このように、上記構成の陳列棚用照明具２１は、既存の商品陳列棚の棚板であっても、非常に簡単に装着することができ、商品のプライスカードやブランドカードをバックライト照明するように簡単に装着することができる。
【符号の説明】
【００５２】
１      陳列棚用照明具
２      ストッパ兼照明カバー
３      照明具
４      カバー部
５      ストッパ部
６      カードホルダー部
７      差込部
８      カードスリット
９      薄型ケース
１０    ＬＥＤ
１１    基板
１２    磁石
１３    駆動回路
１４    電源コネクタ
１５    電源コード
２１    陳列棚用照明具
２２    ストッパ兼照明カバー
２２ａ  当て部
２３    背面部
２４    カバー部
２５    ストッパ部
２６    カードホルダー部
２７    平板部
２８    カードスリット
２９    磁性金属板
３０    棚板
３１    前縁部
３１ａ  スリット
３２    凹部
４０    棚板
４１    前縁部
【図１】
2014171575.tif 000003
【図２】
2014171575.tif 000004
【図３】
2014171575.tif 000005
【図４】
2014171575.tif 000006
【図５】
2014171575.tif 000007
【図６】
2014171575.tif 000008
【図７】
2014171575.tif 000009
【図８】
2014171575.tif 000010
【図９】
2014171575.tif 000011
【図１０】
2014171575.tif 000012
【図１１】
2014171575.tif 000013
【図１２】
2014171575.tif 000014
【図１３】
2014171575.tif 000015
【図１４】
2014171575.tif 000016
【図１５】
2014171575.tif 000017